【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
記録紙を排紙するための複数の排紙口を備える印刷装置であって、
外部装置から、排紙先を特定するための第１の情報と前記外部装置を特定するための第２の情報を受信する受信手段と、
排紙先が割り当てられていない前記複数の排紙口のいずれかへ、前記第１の情報により特定される排紙先を割り当てる割り当て手段と、
前記外部装置からの印刷ジョブにより特定される排紙先が割り当てられている排紙口を選択する選択手段と、
前記第２の情報により特定される前記外部装置に、前記選択手段が選択した排紙口に関する情報を送信する送信手段とを有し、
前記選択手段は、印刷ジョブにより特定される排紙先に対して排紙口が割り当てられている場合は当該排紙口を選択し、前記印刷ジョブにより特定される排紙先に対して排紙口が割り当てられていない場合は排紙先が割り当てられていない排紙口を選択することを特徴とする印刷装置。
【請求項２】
前記第１の情報及び前記第２の情報は、前記受信手段が前記外部装置から受信するデータに含まれることを特徴とする請求項１に記載の印刷装置。
【請求項３】
前記外部装置からの印刷ジョブに応じて前記記録紙に画像を印刷する印刷手段を更に有し、前記受信手段は、前記第１の情報及び前記第２の情報を、前記プリントジョブに含まれる情報として受信することを特徴とする請求項１又は２に記載の印刷装置。
【請求項４】
前記外部装置からの印刷ジョブに応じて前記記録紙に画像を印刷する印刷手段を更に有し、前記受信手段は、前記第１の情報を前記プリントジョブに含まれる情報として受信し、前記第２の情報を前記プリントジョブとは別に前記外部装置から受信することを特徴とする請求項１又は２に記載の印刷装置。
【請求項５】
前記割り当て手段は、排紙口に排紙された記録紙が取り除かれたことに応じて該排紙口に対する排紙先の割り当てを解除することを特徴とする請求項１乃至４のいずれか１項に記載の印刷装置。
【請求項６】
前記割り当て手段は、前記排紙先が割り当てられていない排紙口に対して当該排紙先を割り当て、
全ての排紙口に対して前記排紙先が割り当てられている場合に、前記外部装置に前記複数の排紙口のいずれも使用できない旨を通知する通知手段を更に有することを特徴とする請求項１乃至５のいずれか１項に記載の印刷装置。
【請求項７】
前記第１の情報は、前記外部装置を使用する使用者を示す情報であることを特徴とする請求項１乃至６のいずれか１項に記載の印刷装置。
【請求項８】
外部装置と、記録紙を排紙するための複数の排紙口を備える印刷装置を有する印刷システムであって、
前記印刷システムは、
外部装置から、排紙先を特定するための第１の情報と前記外部装置を特定するための第２の情報を受信する受信手段と、
排紙先が割り当てられていない前記複数の排紙口のいずれかへ、前記第１の情報により特定される排紙先を割り当てる割り当て手段と、
前記外部装置からの印刷ジョブにより特定される排紙先が割り当てられている排紙口を選択する選択手段と、
前記第２の情報により特定される前記外部装置に、前記選択手段が選択した排紙口に関する情報を送信する送信手段と、
前記選択手段は、印刷ジョブにより特定される排紙先に対して排紙口が割り当てられている場合は該排紙口を選択し、前記印刷ジョブにより特定される排紙先に対して排紙口が割り当てられていない場合は排紙先が割り当てられていない排紙口を選択することを特徴とする印刷システム。
【請求項９】
記録紙を排紙するための複数の排紙口を備える印刷装置の制御方法であって、
外部装置から、排紙先を特定するための第１の情報と前記外部装置を特定するための第２の情報を受信する受信ステップと、
排紙先が割り当てられていない前記複数の排紙口のいずれかへ、前記第１の情報により特定される排紙先を割り当てる割り当てステップと、
印刷ジョブにより特定される排紙先に対して排紙口が割り当てられている場合は該排紙口を選択し、前記印刷ジョブにより特定される排紙先に対して排紙口が割り当てられていない場合は排紙先が割り当てられていない排紙口を選択する選択ステップと、
前記第２の情報により特定される前記外部装置に、前記選択ステップにて選択された排紙口に関する情報を送信する送信ステップと、
を有することを特徴とする印刷装置の制御方法。
【手続補正２】
【補正対象書類名】明細書
【補正対象項目名】０００４
【補正方法】変更
【補正の内容】
【０００４】
本発明は上記従来例に鑑みてなされたもので、印刷済みの記録紙の排出先を動的に管理できる印刷装置及びその印刷制御方法と印刷システムを提供することを目的とする。
【手続補正３】
【補正対象書類名】明細書
【補正対象項目名】０００５
【補正方法】変更
【補正の内容】
【０００５】
また本発明の目的は、印刷ジョブにより特定される排紙先に対して排出口が割当てられていない場合、排紙先が割当てられていない排出口を選択して記録紙を排出させることができる印刷装置及びその印刷制御方法と印刷システムを提供することにある。
【手続補正４】
【補正対象書類名】明細書
【補正対象項目名】０００６
【補正方法】変更
【補正の内容】
【０００６】
【課題を解決するための手段】
上記目的を達成するために本発明の印刷装置は以下のような構成を備える。即ち、
記録紙を排紙するための複数の排紙口を備える印刷装置であって、
外部装置から、排紙先を特定するための第１の情報と前記外部装置を特定するための第２の情報を受信する受信手段と、
排紙先が割り当てられていない前記複数の排紙口のいずれかへ、前記第１の情報により特定される排紙先を割り当てる割り当て手段と、
前記外部装置からの印刷ジョブにより特定される排紙先が割り当てられている排紙口を選択する選択手段と、
前記第２の情報により特定される前記外部装置に、前記選択手段が選択した排紙口に関する情報を送信する送信手段とを有し、
前記選択手段は、印刷ジョブにより特定される排紙先に対して排紙口が割り当てられている場合は当該排紙口を選択し、前記印刷ジョブにより特定される排紙先に対して排紙口が割り当てられていない場合は排紙先が割り当てられていない排紙口を選択することを特徴とする。
【手続補正５】
【補正対象書類名】明細書
【補正対象項目名】０００７
【補正方法】変更
【補正の内容】
【０００７】
上記目的を達成するために本発明の印刷システムは以下のような構成を備える。即ち、
外部装置と、記録紙を排紙するための複数の排紙口を備える印刷装置を有する印刷システムであって、
前記印刷システムは、
外部装置から、排紙先を特定するための第１の情報と前記外部装置を特定するための第２の情報を受信する受信手段と、
排紙先が割り当てられていない前記複数の排紙口のいずれかへ、前記第１の情報により特定される排紙先を割り当てる割り当て手段と、
前記外部装置からの印刷ジョブにより特定される排紙先が割り当てられている排紙口を選択する選択手段と、
前記第２の情報により特定される前記外部装置に、前記選択手段が選択した排紙口に関する情報を送信する送信手段と、
前記選択手段は、印刷ジョブにより特定される排紙先に対して排紙口が割り当てられている場合は該排紙口を選択し、前記印刷ジョブにより特定される排紙先に対して排紙口が割り当てられていない場合は排紙先が割り当てられていない排紙口を選択することを特徴とする。
【手続補正６】
【補正対象書類名】明細書
【補正対象項目名】０００８
【補正方法】変更
【補正の内容】
【０００８】
上記目的を達成するために本発明の印刷装置を制御する印刷制御方法は以下のような工程を備える。即ち、
記録紙を排紙するための複数の排紙口を備える印刷装置の制御方法であって、
外部装置から、排紙先を特定するための第１の情報と前記外部装置を特定するための第２の情報を受信する受信ステップと、
排紙先が割り当てられていない前記複数の排紙口のいずれかへ、前記第１の情報により特定される排紙先を割り当てる割り当てステップと、
印刷ジョブにより特定される排紙先に対して排紙口が割り当てられている場合は該排紙口を選択し、前記印刷ジョブにより特定される排紙先に対して排紙口が割り当てられていない場合は排紙先が割り当てられていない排紙口を選択する選択ステップと、
前記第２の情報により特定される前記外部装置に、前記選択ステップにて選択された排紙口に関する情報を送信する送信ステップとを有することを特徴とする。
【手続補正７】
【補正対象書類名】明細書
【補正対象項目名】００５０
【補正方法】変更
【補正の内容】
【００５０】
【発明の効果】
以上説明したように本発明によれば、印刷済みの記録紙の排出先を動的に管理できる。
【手続補正８】
【補正対象書類名】明細書
【補正対象項目名】００５１
【補正方法】変更
【補正の内容】
【００５１】
また本発明によれば、印刷装置が外部装置から受信した第１の情報により特定される排紙先に割り当てられた記録紙の排紙口を選択しつつ、印刷装置が外部装置から受信した第２の情報により特定される外部装置に対して、その選択した排紙口を通知する印刷装置及びその制御方法を提供することができる。